【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
複数の情報処理装置と通信し、時刻を計時するサーバにおいて、
一の前記情報処理装置の情報が変更されたときに前記変更された情報を格納する格納手段と、
前記変更された情報が格納されることに応じて前記サーバが計時する第１の時刻を記録する第１の記録手段と、
他の前記情報処理装置から前記格納手段が前記変更された情報を格納したか否かの問い合わせを受け付ける受付手段と、
前記記録された第１の時刻が、前記受付手段が前回の前記問い合わせを受け付けた第２の時刻及び前記受付手段が今回の前記問い合わせを受け付けた第３の時刻の間の時刻であるとき、前記変更の内容を示す情報を前記他の前記情報処理装置に送信する送信手段と、
前記サーバが計時する時刻が変更されたときに変更前の時刻及び変更後の時刻の差分時間を算出して記録する第２の記録手段と、
前記記録された第１の時刻が変更されたとき、前記変更された第１の時刻に前記差分時間を加算して補正後の第１の時刻を算出する算出手段とを備え、
前記送信手段は、前記補正後の第１の時刻が前記第２の時刻及び前記第３の時刻の間の時刻であるとき、前記変更の内容を示す情報を前記他の情報処理装置に送信することを特徴とするサーバ。
【請求項２】
前記第２の記録手段は、前記サーバが計時する時刻の変更が複数回行われたとき、各前記変更における変更前の時刻及び変更後の時刻の差分時間を算出し、該算出された各前記差分時間を累積して記録し、
前記算出手段は、前記記録された第１の時刻が変更されたとき、前記変更された第１の時刻に前記累積して記録された差分時間を加算して前記補正後の第１の時刻を算出することを特徴とする請求項１記載のサーバ。
【請求項３】
時刻を計時するサーバ及び複数の情報処理装置を備える情報処理システムにおいて、
一の前記情報処理装置の情報が変更されたときに前記変更された情報を格納する格納手段と、
前記変更された情報が格納されることに応じて前記サーバが計時する第１の時刻を記録する第１の記録手段と、
他の前記情報処理装置から前記格納手段が前記変更された情報を格納したか否かの問い合わせを受け付ける受付手段と、
前記記録された第１の時刻が、前記受付手段が前回の前記問い合わせを受け付けた第２の時刻及び前記受付手段が今回の前記問い合わせを受け付けた第３の時刻の間の時刻であるとき、前記変更の内容を示す情報を前記他の前記情報処理装置に送信する送信手段と、
前記サーバが計時する時刻が変更されたときに変更前の時刻及び変更後の時刻の差分時間を算出して記録する第２の記録手段と、
前記記録された第１の時刻が変更されたとき、前記変更された第１の時刻に前記差分時間を加算して補正後の第１の時刻を算出する算出手段とを備え、
前記送信手段は、前記補正後の第１の時刻が前記第２の時刻及び前記第３の時刻の間の時刻であるとき、前記変更の内容を示す情報を前記他の情報処理装置に送信することを特徴とする情報処理システム。
【請求項４】
時刻を計時するサーバを搭載する情報処理装置において、
前記サーバは、
前記情報処理装置の情報が変更されたときに前記変更された情報を格納する格納手段と、
前記変更された情報が格納されることに応じて前記サーバが計時する第１の時刻を記録する第１の記録手段と、
前記情報処理装置に接続される他の情報処理装置から前記格納手段が前記変更された情報を格納したか否かの問い合わせを受け付ける受付手段と、
前記記録された第１の時刻が、前記受付手段が前回の前記問い合わせを受け付けた第２の時刻及び前記受付手段が今回の前記問い合わせを受け付けた第３の時刻の間の時刻であるとき、変更の内容を示す情報を前記他の情報処理装置に送信する送信手段と、
前記サーバが計時する時刻が変更されたときに変更前の時刻及び変更後の時刻の差分時間を算出して記録する第２の記録手段と、
前記記録された第１の時刻が変更されたとき、前記変更された第１の時刻に前記差分時間を加算して補正後の第１の時刻を算出する算出手段とを備え、
前記送信手段は、前記補正後の第１の時刻が前記第２の時刻及び前記第３の時刻の間の時刻であるとき、変更の内容を示す情報を前記他の情報処理装置に送信することを特徴とする情報処理装置。
【請求項５】
前記サーバ及び前記情報処理装置がアクセス可能な格納部をさらに備え、
前記サーバが停止している間に前記時刻が変更されて前記差分時間が算出されたとき、前記格納部は前記差分時間を格納することを特徴とする請求項４記載の情報処理装置。
【請求項６】
複数の情報処理装置に接続され、時刻を計時するサーバの制御方法であって、
一の前記情報処理装置の情報が変更されたときに前記変更された情報を格納する格納ステップと、
前記変更された情報が格納されることに応じて前記サーバが計時する第１の時刻を記録する第１の記録ステップと、
他の前記情報処理装置から前記格納ステップにおいて前記変更された情報が格納されたか否かの問い合わせを受け付ける受付ステップと、
前記記録された第１の時刻が、前記受付ステップにおいて前回の前記問い合わせを受け付けた第２の時刻及び前記受付ステップにおいて今回の前記問い合わせを受け付けた第３の時刻の間の時刻であるとき、前記変更の内容を示す情報を他の前記情報処理装置に送信する送信ステップと、
前記サーバが計時する時刻が変更されたときに変更前の時刻及び変更後の時刻の差分時間を算出して記録する第２の記録ステップと、
前記記録された第１の時刻が変更されたとき、前記変更された第１の時刻に前記差分時間を加算して補正後の第１の時刻を算出する算出ステップとを有し、
前記送信ステップは、前記補正後の第１の時刻が前記第２の時刻及び前記第３の時刻の間の時刻であるとき、前記変更の内容を示す情報を前記他の情報処理装置に送信することを特徴とするサーバの制御方法。
【請求項７】
時刻を計時するサーバ及び複数の情報処理装置を備える情報処理システムの制御方法であって、
一の前記情報処理装置の情報が変更されたときに前記変更された情報を格納する格納ステップと、
前記変更された情報が格納されることに応じて前記サーバが計時する第１の時刻を記録する第１の記録ステップと、
他の前記情報処理装置から前記格納ステップにおいて前記変更された情報が格納されたか否かの問い合わせを受け付ける受付ステップと、
前記記録された第１の時刻が、前記受付ステップにおいて前回の前記問い合わせを受け付けた第２の時刻及び前記受付ステップにおいて今回の前記問い合わせを受け付けた第３の時刻の間の時刻であるとき、前記変更の内容を示す情報を他の前記情報処理装置に送信する送信ステップと、
前記サーバが計時する時刻が変更されたときに変更前の時刻及び変更後の時刻の差分時間を算出して記録する第２の記録ステップと、
前記記録された第１の時刻が変更されたとき、前記変更された第１の時刻に前記差分時間を加算して補正後の第１の時刻を算出する算出ステップとを有し、
前記送信ステップは、前記補正後の第１の時刻が前記第２の時刻及び前記第３の時刻の間の時刻であるとき、前記変更の内容を示す情報を前記他の情報処理装置に送信することを特徴とする情報処理システムの制御方法。
【請求項８】
時刻を計時するサーバを搭載する情報処理装置の制御方法であって、
前記情報処理装置の情報が変更されたときに前記変更された情報を格納する格納ステップと、
前記変更された情報が格納されることに応じて前記サーバが計時する第１の時刻を記録する第１の記録ステップと、
前記情報処理装置に接続される他の情報処理装置から前記格納ステップにおいて前記変更された情報が格納されたか否かの問い合わせを受け付ける受付ステップと、
前記記録された第１の時刻が、前記受付ステップにおいて前回の前記問い合わせを受け付けた第２の時刻及び前記受付ステップにおいて今回の前記問い合わせを受け付けた第３の時刻の間の時刻であるとき、変更の内容を示す情報を前記他の情報処理装置に送信する送信ステップと、
前記サーバが計時する時刻が変更されたときに変更前の時刻及び変更後の時刻の差分時間を算出して記録する第２の記録ステップと、
前記記録された第１の時刻が変更されたとき、前記変更された第１の時刻に前記差分時間を加算して補正後の第１の時刻を算出する算出ステップとを有し、
前記送信ステップは、前記補正後の第１の時刻が前記第２の時刻及び前記第３の時刻の間の時刻であるとき、変更の内容を示す情報を前記他の情報処理装置に送信することを特徴とする情報処理装置の制御方法。
【請求項９】
複数の情報処理装置に接続され、時刻を計時するサーバの制御方法をコンピュータに実行させるプログラムであって、
前記サーバの制御方法は、
一の前記情報処理装置の情報が変更されたときに前記変更された情報を格納する格納ステップと、
前記変更された情報が格納されることに応じて前記サーバが計時する第１の時刻を記録する第１の記録ステップと、
他の前記情報処理装置から前記格納ステップにおいて前記変更された情報が格納されたか否かの問い合わせを受け付ける受付ステップと、
前記記録された第１の時刻が、前記受付ステップにおいて前回の前記問い合わせを受け付けた第２の時刻及び前記受付ステップにおいて今回の前記問い合わせを受け付けた第３の時刻の間の時刻であるとき、前記変更の内容を示す情報を他の前記情報処理装置に送信する送信ステップと、
前記サーバが計時する時刻が変更されたときに変更前の時刻及び変更後の時刻の差分時間を算出して記録する第２の記録ステップと、
前記記録された第１の時刻が変更されたとき、前記変更された第１の時刻に前記差分時間を加算して補正後の第１の時刻を算出する算出ステップとを有し、
前記送信ステップは、前記補正後の第１の時刻が前記第２の時刻及び前記第３の時刻の間の時刻であるとき、前記変更の内容を示す情報を前記他の情報処理装置に送信することを特徴とするプログラム。
【請求項１０】
時刻を計時するサーバを搭載する情報処理装置の制御方法をコンピュータに実行させるプログラムであって、
前記情報処理装置の制御方法は、
前記情報処理装置の情報が変更されたときに前記変更された情報を格納する格納ステップと、
前記変更された情報が格納されることに応じて前記サーバが計時する第１の時刻を記録する第１の記録ステップと、
前記情報処理装置に接続される他の情報処理装置から前記格納ステップにおいて前記変更された情報が格納されたか否かの問い合わせを受け付ける受付ステップと、
前記記録された第１の時刻が、前記受付ステップにおいて前回の前記問い合わせを受け付けた第２の時刻及び前記受付ステップにおいて今回の前記問い合わせを受け付けた第３の時刻の間の時刻であるとき、変更の内容を示す情報を前記他の情報処理装置に送信する送信ステップと、
前記サーバが計時する時刻が変更されたときに変更前の時刻及び変更後の時刻の差分時間を算出して記録する第２の記録ステップと、
前記記録された第１の時刻が変更されたとき、前記変更された第１の時刻に前記差分時間を加算して補正後の第１の時刻を算出する算出ステップとを有し、
前記送信ステップは、前記補正後の第１の時刻が前記第２の時刻及び前記第３の時刻の間の時刻であるとき、変更の内容を示す情報を前記他の情報処理装置に送信することを特徴とするプログラム。